(57)【要約】【課題】  従来の貼り付け方式の家庭用磁気治療器では使用を敬遠しがちな女性が、肌にかゆみやかぶれ等が生じることなく、市販の家庭用磁気治療器の磁石粒を人目に触れずに繰り返し使用を可能とするブラジャーのストラップ用磁石粒装着パッドを提供する。【解決手段】シリコンゴム製パッドの肌に触れる側に設けられた嵌め込み穴に、家庭用磁気治療器の磁石粒を装着して、同シリコンゴム製パッドの内部に設けられた隙間にブラジャーのストラップを挟み込み、肌にかゆみやかぶれ等が生じることなく、人目に触れずに繰り返し使用を可能とする。【選択図】図２
2010104740.tif 000002
【特許請求の範囲】
【請求項１】
家庭用磁気治療器の磁石粒を該磁石粒のサイズ程度の有底の穴に嵌め込み、該穴を設けたシリコンゴム製パッドをブラジャーのストラップに挟み、安全かつ清潔に、繰り返し使用を可能とすることを特徴とするブラジャーのストラップ用磁石粒装着パッド。
【発明の詳細な説明】
【技術分野】
【０００１】    本発明は、家庭用磁気治療器の磁石粒の繰り返し使用を可能とするブラジャーのストラップ用磁石粒装着パッドに関する。
【背景技術】
【０００２】    磁気が人体の血行を善くし、肩こり等に効果的であると注目されており、多数の磁石粒を用いた家庭用磁気治療器が市販されている。従来市販されている家庭用磁気治療器の磁石粒を繰り返し使用するための用具は、薄い円盤状の繊維の片面に接着剤が付いており、該面に磁石粒を貼り付けたものを直接肌に貼り付けて使用する方式である。【０００３】
【特許文献１】特開２００５−２９６４５５号公報
【特許文献２】特開平１１−２９０４６５号公報
【発明の開示】
【発明が解決しようとする課題】
【０００４】    前記従来の方式では体質によってはかゆみやかぶれ等が生じる場合がある。【０００５】    使用する環境や個人差等はあるが、用具の使用期間が短く、磁石粒を繰り返し使用するためには頻繁に用具の取替えが必要である。【０００６】    肩凝りに悩む女性は多くいるが、前記従来の方式では人目を気にして磁石粒の使用を敬遠しがちで、故に我慢している場合が多い。【０００７】    そこで本発明は、肌にかゆみやかぶれ等を生じることがなく、磁石粒が人目に触れずに、繰り返し使用できるブラジャーのストラップ用磁石粒装着パッドを提供する。
【課題を解決するための手段】
【０００８】家庭用磁気治療器の磁石粒を該磁石粒のサイズ程度の有底の穴に嵌め込み、該穴を設けたシリコンゴム製パッドにブラジャーのストラップを挟み、安全かつ清潔に、繰り返し使用を可能とする。
【発明の効果】
【０００９】    前述のようにパッドの素材に、安全かつ衛生的に優れ、その弾力性および耐久性に特徴を有するシリコンゴムを採用することにより、繰り返し使用が可能となる。【００１０】    シリコンゴム製パッドにブラジャーストラップを挟んで使用するため、直接肌への貼付を回避できることによりかゆみやかぶれ等を生じることがなく、磁石粒が人目に触れずに磁気治療が可能となる。【００１１】    また、パッドの素材に弾力性のあるシリコンゴムを使用することにより、使用する人が既に所有しているブラジャーストラップに容易に取り付け、取り外しが可能となる。【００１２】    磁石粒を取り外す際には、シリコンゴムの持つ弾力性を活かし、シリコンゴム製パッドを湾曲させることにより可能である。【００１３】    使用する形態の一つとして、シリコンゴム製パッドに設けられた磁石粒の嵌め込み面をブラジャーのストラップの肌に当たる側に装着するため、薄い円盤状の繊維を介して磁石粒を貼り付けて使用する従来の磁気治療の方式では敬遠しがちな肩凝りで悩む女性も人目を気にすることなく磁気治療が可能である。【００１４】    また、ブラジャーのストラップを挟んで使用する際にシリコンゴム製パッドの表から見える部分には、市販されているブラジャーもしくは、ブラジャーのストラップに多く使用されている色や可愛いデザインを採用することにより、違和感なく使用することが可能となる。【００１５】    シリコンゴム製パッドは、ブラジャーのストラップ上であれば胸、肩、背中の任意の箇所に挟み込んで使用できるため、複数使用すれば、広範囲に亘り磁気治療が可能となる。【００１６】    また、前述してきた磁石粒の代わりに、その効果が注目されているゲルマニウム粒を嵌め込んで使用してもよい。【００１７】ブラジャーのストラップを挟み込む方式には、シリコンゴム製パッドの片側から内部に設けられた厚さ１ｍｍ程度の隙間に挟み込む方式と、シリコンゴム製パッドの表から見える側の中心に設けられた切れ込みから内部に設けられた厚さ１ｍｍ程度の隙間に挟み込む方式がある。
【発明を実施するための最良の形態】
【００１８】    以下、本発明の実施の形態を図１から図８に基づいて説明する。【００１９】    図１に示すものは、本発明の一実施形態に係るブラジャーのストラップ用磁石粒装着パッドの断面図である。シリコンゴム製パッドの片側側面部から内部に設けられた厚さ１ｍｍ程度の隙間６にブラジャーのストラップ４を挟み込む方式のものである。磁石粒１は直接肌に触れさせるため、シリコンゴム製パッド２の肌に触れる側２Ａに設けられた嵌め込み穴３の深さは磁石粒１の厚さより１ｍｍ程度浅いものが好ましい。前記嵌め込み穴３の直径に関しては、磁石粒１をシリコンゴム製パッド２に固定し易くするため磁石粒１の直径と同じ程度のものとする。【００２０】    シリコンゴム製パッド２の嵌め込み穴３に磁石粒１を装着させるために、シリコンゴム製パッド２の持つ弾力性を活かすことに加え、市販の貼り付け方式を採用しているストラップレスブラジャーの貼り付け面に使用されているような人体に影響のない粘着剤を採用してもよい。【００２１】    市販の磁石粒１の直径や厚さは、商品によりサイズが異なるため、嵌め込み穴３のサイズの異なるシリコンゴム製パッド２を用意するのが好ましい。【００２２】    ブラジャーのストラップ４を挟み込む隙間６は１ｍｍ程度とする。【００２３】    図２に示すものは、前記図１の立体透明斜視図である。【００２４】    図３に示すものは、前記図２を反転させた状態の立体透明斜視図である。【００２５】    前記図１，２，３が示す形状は、磁石粒１の嵌め込み穴３を除き箱型であるが、シリコンゴム製パッド２全体の形状は、箱型に限らず楕円形や多角形など様々なデザインを考慮することが好ましい。【００２６】    図４に示すものは、前記図１，２，３が示すものと同じ使用法で、異なる形状の実施例の立体透明斜視図である。【００２７】    図５に示すものは、前記図４を反転させた状態の立体透明斜視図である。【００２８】    図６に示すものは、前記図１に示す本発明のブラジャーのストラップ用磁石粒装着パッド２を身体Ｘに装着した状態を背後から見た外観図である。磁石粒１ならびに嵌め込み穴３はブラジャーのストラップ４の肌に触れる側４Ａにあり、人目に触れることがないため磁気治療が可能である。【００２９】    図７に示すものは、シリコンゴム製パッド２の他の実施例を示す断面図である。シリコンゴム製パッド２の表から見える側２Ｂの中心に設けられた切れ込み５から内部に設けられた厚さ１ｍｍ程度の隙間６にブラジャーのストラップ４を挟み込む方式のものである。【００３０】    図８に示すものは、前記図７が示す実施例の立体透明斜視図である。【００３１】    図９に示すものは、前記図８を反転させた状態の立体透明斜視図である。【００３２】    図１０に示すものは、前記図７，８，９が示すものと同じ使用法で、異なる形状のシリコンゴム製パッド２がブラジャーのストラップ４を挟み込んだ状態の立体透明斜視図である。【００３３】    図１１に示すものは、前記図８を反転させた状態の立体透明斜視図である。【００３４】図１２は、前記図７に示す本発明のブラジャーのストラップ用磁石粒装着パッド２を身体Ｘに装着した状態を背後から見た外観図である。磁石粒１ならびに嵌め込み穴３はブラ��ャーのストラップ４の肌に触れる側４Ａにあり、人目に触れることがないため磁気治療が可能である。
【図面の簡単な説明】
【００３５】
【図１】本発明のブラジャーのストラップ用磁石粒装着パッドの一実施例を示す断面図。
【図２】前記図１の立体透明斜視図。
【図３】前記図２を反転させた状態の立体透明斜視図。
【図４】前記図１，２，３と同じ使用法で異なる形状の実施例の立体透明斜視図。
【図５】前記図４を反転させた状態の立体透明斜視図
【図６】図１に示す実施例を身体Ｘに装着した状態を背後から見た外観図。
【図７】本発明の他の実施例を示す断面図。
【図８】前記図７の立体透明斜視図。
【図９】前記図８を反転させた状態の立体透明斜視図。
【図１０】前記図７，８，９と同じ使用法で異なる形状の実施例の立体透明斜視図。
【図１１】前記図１０を反転させた状態の立体透明斜視図。
【図１２】図７に示す実施例を身体Ｘに装着した状態を背後から見た外観図。
【符号の説明】
【００３６】  １    磁石粒
２    シリコンゴム製パッド
２Ａ  シリコンゴム製パッドの肌に触れる側
２Ｂ  シリコンゴム製パッドの表から見える側
３    （磁石粒用）嵌め込み穴
４    ブラジャーのストラップ
４Ａ  ブラジャーのストラップ４の肌に触れる側
４Ｂ  ブラジャーのストラップ４の表から見える側
５    切れ込み
６    隙間
Ｘ    身体
【図１】
2010104740.tif 000003
【図２】
2010104740.tif 000004
【図３】
2010104740.tif 000005
【図４】
2010104740.tif 000006
【図５】
2010104740.tif 000007
【図６】
2010104740.tif 000008
【図７】
2010104740.tif 000009
【図８】
2010104740.tif 000010
【図９】
2010104740.tif 000011
【図１０】
2010104740.tif 000012
【図１１】
2010104740.tif 000013
【図１２】
2010104740.tif 000014